(57)【要約】【課題】パッドスプリングを用いてパッドのガタツキを防止したピストン対向型ディスクブレーキについて、パッドスプリングのセット荷重が大きくなった場合にも部品数の増加を伴わずにパッドスプリングの取り外しを容易に行えるようにすることを課題としている。【解決手段】パッドスプリング６の両端のピン保持部のうち、少なくとも一方のピン保持部７の曲げ半径ｒ１をパッドピンの半径ｒよりも大きくし、ピン保持部７の折り返し部７ａを直線にし、この直線の折り返し部７ａとパッドピン４の接触部に働く摩擦力Ｆr・μと、前記接触部に働くばね力の前記折り返し部７ａと平行かつ折り返し部の自由端側を向く分力Ｆｔについて、Ｆr・μ＞Ｆtの条件を満足させた。Ｆｒは前記接触部に働く前記ばね力の前記折り返し部に対する直角向きの分力。μは前記接触部の摩擦係数である。【選択図】図３
2014224581.tif 000002
【特許請求の範囲】
【請求項１】
ディスクの回入側と回出側においてキャリパのインナー部とアウター部間にそれぞれパッドピンを横架し、その２本のパッドピンをパッドの裏板に設けられたピン孔に挿通して対のパッドをディスク軸方向スライド自在に支持し、さらに、両端に曲げ加工して設けたピン保持部をディスク回入側と回出側のパッドピンにそれぞれ係止させて前記２本のパッドピンで支持するパッドスプリングを設け、そのパッドスプリングで前記パッドを特定の方向に押圧するピストン対向型ディスクブレーキにおいて、
前記パッドスプリングの両端のディスク回入側と回出側のパッドピンに個別に係合させるピン保持部のうち、少なくとも一方のピン保持部の曲げ半径をパッドピンの半径よりも大きくすると共に当該ピン保持部の折り返し部を直線にし、この直線の折り返し部と前記パッドピンの接触部に働く摩擦力Ｆｒ・μと、前記接触部に働く前記ばね力の前記直線の折り返し部と平行かつ直線の折り返し部の自由端側を向く分力Ｆｔについて、Ｆr・μ＞Ｆtの条件を満足させたことを特徴とするピストン対向型ディスクブレーキ。
ここに、Ｆｒ：前記接触部に働く前記ばね力の前記直線の折り返し部に対する直角向きの分力。
μ：前記接触部の摩擦係数。
【請求項２】
前記接触部に働く前記２つの分力ＦｔとＦｒを下式で求めた請求項１に記載のピストン対向型ディスクブレーキ。
両分力の合力をＦｓ、ディスク回入側と回出側のパッドピンの中心を結ぶ直線と平行な基準線Ｌに対する合力Ｆｓの傾き角をγ、前記基準線Ｌに対する前記直線の折り返し部の傾き角をθとしたとき、
Ｆｒ＝Ｆｓ・ｓｉｎ（θ＋γ）・・・・（式１）
Ｆｔ＝Ｆｓ・ｃｏｓ（θ＋γ）・・・・（式２）
γ＝ａｒｃｔａｎ（Ｆｖ／Ｆｈ）
ここに、Ｆｖ：前記ばね力の前記基準線Ｌに対して直角な方向の成分。
Ｆｈ：前記ばね力の前記基準線Ｌと平行な方向の成分。
【請求項３】
前記直線の折り返し部の前記基準線Ｌに対する傾き角θを、４０°以上、９０°以下にした請求項１又は２に記載のピストン対向型ディスクブレーキ。
【請求項４】
前記直線の折り返し部の下記の２つの直線ＳＬ１とＳＬ２間の距離で表される長さｌ１をパッドピンの直径の２５％〜１００％に設定した請求項１〜３のいずれかに記載のピストン対向型ディスクブレーキ。
ＳＬ１：折り返し部がパッドピンに対して最も深く嵌まり込んだ状態において、直線の折り返し部に対するパッドピンの接触部を通る前記基準線Ｌに対して直角な直線。
ＳＬ２：前記直線の折り返し部の先端を通る前記基準線Ｌに対して直角な直線。
【請求項５】
Ｆr・μ＞Ｆtの関係式をパッドスプリングの片方のピン保持部のみについて満足させ、他方のピン保持部については、下記の２つの直線ＳＬ３，ＳＬ４間の距離で表わされる折り返し部の長さをパッドピンの直径の１００％〜２００％に設定した請求項１〜４のいずれかに記載のピストン対向型ディスクブレーキ。
ＳＬ３：折り返し部がパッドに対して最も深く嵌まり込んだ状態において、折り返し部に対するパッドピン接触部を通る前記基準線Ｌに対して直角な直線。
ＳＬ４：折り返し部の先端を通る前記基準線Ｌに対して直角な直線。
【請求項６】
前記パッドスプリングがパッドをディスク内径側とディスク回出側の２方向に向けて押圧するように構成されており、この構造において、ディスク回出側のパッドピンによるスプリング保持部について前記Ｆr・μ＞Ｆtの関係式を満足させた請求項１〜５のいずれかに記載のピストン対向型ディスクブレーキ。
【発明の詳細な説明】
【技術分野】
【０００１】
この発明は、摩擦パッドのガタツキ防止用のパッドスプリングを備えさせたピストン対向型ディスクブレーキ、詳しくは、前記パッドスプリングの取り外し作業を容易にした車両用のピストン対向型ディスクブレーキに関する。
【背景技術】
【０００２】
ピストン対向型ディスクブレーキでは、ディスクの両面に摺接させる対の摩擦パッド（以下では単にパッドという）の支持を、キャリパのディスク（ディスクロータ）回入側と回出側に取り付けたパッドピンによって行っている。
【０００３】
２本のパッドピンをキャリパのインナー部とアウター部間に横架し、そのパッドピンをパッドの裏板に設けられたピン孔に挿通して対のパッドをディスク軸方向スライド自在に支持している。ところが、この構造は、前記ピン孔の孔面とパッドピンとの間に遊びがあることからパッドが車の走行中にガタツク。
【０００４】
そこで、板ばね製のパッドスプリングを設け、そのパッドスプリングでパッドを特定の方向に押圧してガタツキを防止することが行われている。
【０００５】
パッドスプリングによるパッドの押圧は、車の走行中にパッドがガタついて生じるラトル音の防止のみを目的とする場合にはパッドを単にディスク内径側に向けて押圧する方法が採られる。
【０００６】
また、制動の初期にパッドがキャリパのトルク受け面に衝突して起こるクロンク音とラトル音を併せて防止することが要求される場合には、パッドをディスク内径側とディスク回出側の２方向に向けて押圧する方法が採られている。
【０００７】
このパッドスプリングを備えさせたピストン対向型ディスクブレーキとして、例えば、下記特許文献１に記載されたものがある。
【０００８】
同文献に開示されたディスクブレーキは、パッドピンを挿通する支持部材とパッドを押圧するばね部材とパッドの３者を一纏めにしておいてキャリパに一括して組み付けられるようにしたものである。
【先行技術文献】
【特許文献】
【０００９】
【特許文献１】実用新案登録第２５０３０８４号公報
【発明の概要】
【発明が解決しようとする課題】
【００１０】
大きな制動力が要求されるピストン対向型ディスクブレーキでは、ブレーキサイズの大型化に伴い、パッドスプリングに要求されるセット荷重が増大する傾向にある。サイズの大きくなった質量の大きなパッドに対応するにはセット荷重の大きなパッドスプリングが必要である。
【００１１】
ところが、パッドスプリングをディスク回入側と回出側のパッドピンに係止させて支持する一般的なパッドスプリングの場合、セット荷重を大きくすると、そのパッドスプリングの取り外しが困難になる。
【００１２】
パッドは消耗品であり、摩擦材が摩耗限界に達すると交換される。このとき、ディスク回入側と回出側のパッドピンに係止させて支持するタイプのパッドスプリングを使用したブレーキは、パッドスプリングを取り外す必要がある。セット荷重の大きなパッドスプリングはその取り外しの作業が難しくなる。
【００１３】
なお、前記特許文献に開示された技術は、支持部材とばね部材とパッドの３者を一括して交換すればパッドスプリングはその取り外しが不要になるが、支持部材とばね部材も消耗品として扱うと製品コストが増加して好ましくない。
【００１４】
また、同文献の技術では、支持部材の追加による部品数の増加があるために部品の寸法誤差が積み重なって寸法公差のばらつきが大きくなる。それが原因で、ガタツキ防止の性能の安定性が低下する。
【００１５】
そこでこの発明は、パッドスプリングのセット荷重が大きくなった場合にも部品数の増加を伴わずにそのパッドスプリングの取り外しを容易に行えるようにすることを課題としている。
【課題を解決するための手段】
【００１６】
上記の課題を解決するため、この発明は、ディスクの回入側と回出側においてキャリパのインナー部とアウター部間にそれぞれパッドピンを横架し、その２本パッドピンをパッドの裏板に設けられたピン孔に挿通して対のパッドをディスク軸方向スライド自在に支持し、さらに、両端に曲げ加工して設けたピン保持部をディスク回入側と回出側のパッドピンにそれぞれ係止させて前記２本のパッドピンで支持するパッドスプリングを設け、そのパッドスプリングで前記パッドを特定の方向に押圧するピストン対向型ディスクブレーキを改善の対象にして前記パッドスプリングに以下の工夫を施した。
【００１７】
即ち、ディスク回入側と回出側のパッドピンに個別に係合させる両端のピン保持部のうち、少なくとも一方のピン保持部の曲げ半径をパッドピンの半径よりも大きくすると共に当該ピン保持部の折り返し部を直線にし、この直線の折り返し部と前記パッドピンの接触部に働く摩擦力Ｆr・μと、前記接触部に働く前記ばね力の前記直線の折り返し部と平行かつ折り返し部の自由端側を向く分力Ｆｔについて、Ｆr・μ＞Ｆtの条件を満足させた。
ここに、Ｆｒ：前記接触部に働く前記ばね力の前記直線の折り返し部に対する直角向きの分力。
μ：前記接触部の摩擦係数。
【００１８】
なお、前記接触部に働く前記２つの分力ＦｔとＦｒは下式で求まる。
【００１９】
今、両分力の合力をＦｓ、ディスク回入側と回出側のパッドピンの中心を結ぶ直線と平行な基準線Ｌに対する合力Ｆｓの傾き角をγ、前記基準線Ｌに対する前記直線の折り返し部の傾き角をθとしたとき、
Ｆｒ＝Ｆｓ・ｓｉｎ（θ＋γ）・・・・（式１）
Ｆｔ＝Ｆｓ・ｃｏｓ（θ＋γ）・・・・（式２）
γ＝ａｒｃｔａｎ（Ｆｖ／Ｆｈ）
ここに、Ｆｖ：前記ばね力の前記基準線Ｌに対して直角な方向の成分（以下では垂直成分と言う）。
Ｆｈ：前記ばね力の前記基準線Ｌと平行な方向の成分（以下では水平成分と言う）。
【００２０】
前記ばね力の垂直成分Ｆｖと水平成分Ｆｈは、前記合力Ｆｓの先端をａ、前記直線の折り返し部と前記パッドピンの接触部をｂ、そのｂ点から前記基準線Ｌと平行に延びださせた直線と前記ａ点から前記基準線Ｌと直交する方向に延びださせた直線の交差部をｃとして、直線ａ-ｃで表される部分が垂直成分、直線ｂ-ｃで表される部分が水平成分である。
【００２１】
なお、前記直線の折り返し部に対するパッドピンの接触点が折り返し部の後端側（曲げ部のある側を後部と考える）から先端側に向かって移動するとばねの撓みによって上記式１と式２のθや、Ｆｖ、Ｆｈの値が若干変動する。従って、この発明における前記Ｆr・μ＞Ｆtの関係式はその変動を見込んだものにする。
【００２２】
前記直線の折り返し部の前記基準線Ｌに対する傾き角θは、４０°以上、９０°以下がよい。
【００２３】
また、前記直線の折り返し部の長さｌ１は、パッドピンの直径の２５％〜１００％程度にするのがよい。ここで言う折り返し部の長さは、直線の折り返し部の実寸ではなく、下記の２つの直線ＳＬ１とＳＬ２間の距離とする。
ＳＬ１：直線折り返し部がパッドピンに対して最も深く嵌まり込んだ状態において、その直線の折り返し部に対するパッドピンの接触部を通る前記基準線Ｌに対して直角な直線。
ＳＬ２：前記直線の折り返し部の先端を通る前記基準線Ｌに対して直角な直線。
【００２４】
さらに、Ｆr・μ＞Ｆtの関係式を満足させるのは、パッドスプリングの片方のピン保持部のみとし、他方のピン保持部については折り返し部の長さを、Ｆr・μ＞Ｆtの関係式を満足する側の直線の折り返し部よりも長く設定するのがよい。その長さをｌ２として下記の２つの直線ＳＬ３，ＳＬ４間の距離で表した場合、パッドピンの直径の１００％〜２００％程度が適当と思われる。
ＳＬ３：折り返し部がパッドに対して最も深く嵌まり込んだ状態において、当該折り返し部に対するパッドピンの接触部を通る前記基準線Ｌに対して直角な直線。
ＳＬ４：折り返し部の先端を通る前記基準線Ｌに対して直角な直線。
【００２５】
このほか、パッドスプリングによってパッドをディスク内径側とディスク回出側の２方向に向けて押圧するタイプのディスクブレーキにおいては、ディスク回出側のパッドピンによるスプリング保持部について前記Ｆr・μ＞Ｆtの関係式を満足させるのがよい。
【００２６】
なお、パッドピンはステンレス鋼や構造鋼などからなるものが通常用いられ、また、パッドスプリングはステンレスばね鋼やばね銅材などからなるものが通常用いられる。前記傾き角θの具体値はこれらの材料を使用する場合を想定したものである。パッドピンとパッドスプリングの材料によってはその数値範囲を見直すべき状況が起こりうる。
【発明の効果】
【００２７】
この発明のピストン対向型ディスクブレーキは、Ｆr・μ＞Ｆtの関係式を満足する位置のパッドピンを回転させてパッドピンによるパッドスプリングの保持を解除する。
【００２８】
ディスク回入側と回出側のパッドピンは、キャリパのピン孔に貫通させた先端にクリップを装着して抜け止めと回り止めを行っている。このバッドピンは、先端に装着したクリップを外せば工具で掴んで回転させることができる。
【００２９】
パッドピンをパッドスプリングの前記直線の折り返し部上をその直線の折り返し部の先端に向けて転がる方向に回転させると、Ｆr・μ＞Ｆtの関係式を満足しているためにパッドピンは定位置でスリップを起こさずに回転する。これにより、前記直線の折り返し部に推力が加わり、その推力で直線の折り返し部がせり上がり、片方のピン保持部がパッドピンから外れる。
【００３０】
この作業でのパッドピンの回転は大きな力を要せずに行え、これにより、パッドスプリングの取り外しが容易になる。
【００３１】
前記直線の折り返し部の傾き角θを４０°以上、９０°以下に設定したものは、パッドピンによるパッドスプリングの保持機能を確保してＦr・μ＞Ｆtの関係式を確実に満足させることができる。
【００３２】
また、前記直線の折り返し部の長さｌ１を、パッドピンの直径の２５％〜１００％に設定したものは、パッドピンによるパッドスプリングの安定保持の機能が損なわれない。
【００３３】
さらに、他方のピン保持部の折り返し部の長さをＦr・μ＞Ｆtの関係式を満足する側の直線の折り返し部よりも長く設定したものは、Ｆr・μ＞Ｆtの関係式を満足する側のピン保持部がパッドピンから外れても他方のピン保持部のパッドピンに対する係止状態が維持される。
【００３４】
Ｆr・μ＞Ｆtの関係式を満足する側のピン保持部がパッドピンから外れると、パッドスプリングは急激に弾性復元する。このとき、他方のピン保持部がパッドピンに確実に係止しているとパッドスプリングのキャリパからの衝撃的な外れが防止され、作業の安全性が確保される。
【００３５】
パッドをパッドスプリングでディスク内径側とディスク回出側の２方向に向けて押圧するタイプのディスクブレーキにおいて、ディスク回出側のパッドピンによるスプリング保持部についてＦr・μ＞Ｆtの関係式を満足させたものは、パッドスプリングの取り外し作業が複雑にならない。
【００３６】
ディスク回入側のパッドピンによる保持を解いても、ディスク回出側のパッドピン（このピンでディスク回出側に押圧した力の反力を受け止めている）によるスプリング保持がなされているとディスク回出側に向けてのパッド押圧は解除されないが、ディスク回出側のパッドピンによるスプリング保持を解けばディスク回出側に向けてのパッド押圧も同時に解除される。従って、パッドスプリングの取り外し作業はディスク回出側のパッドピンによるスプリング保持を解くだけで済む。
【図面の簡単な説明】
【００３７】
【図１】この発明のピストン対向型ディスクブレーキの一例を示す斜視図
【図２】図１のII−II線に沿った要部箇所の断面図
【図３】図１のピストン対向型ディスクブレーキに採用したパッドスプリングの側面図
【図４】この発明を特徴づけるパッドピンによるスプリング保持部の詳細を示す側面図
【図５】パッドピンとパッドスプリングの係合解除に関する動作の説明図
【図６】この発明のピストン対向型ディスクブレーキに採用するパッドスプリングの他の例を示す側面図
【発明を実施するための形態】
【００３８】
以下、この発明のピストン対向型ディスクブレーキの実施の形態を、添付図面の図１〜図６に基づいて説明する。
【００３９】
図１及び図２に示したピストン対向型ディスクブレーキ１は、キャリパ２と、対向一対のパッド３，３と、そのパッドをディスク軸方向スライド可能に支持する２本のパッドピン４，４と、車軸と一体に回転するディスクＤ（図２参照）と、パッドピン４，４の先端に係止させるクリップ５と、パッド３，３のガタツキを防止するパッドスプリング６を組み合わせて構成されている。
【００４０】
キャリパ２は、インナー部２ａとアウター部２ｂ間に窓孔２ｃを有し、その窓孔の部分にパッド３，３が組み込まれている。
【００４１】
パッドピン４，４は、キャリパ２のインナー部２ａとアウター部２ｂ間に窓孔２ｃを跨いで横架されている。このパッドピン４，４は、キャリパ２に設けられたピン孔２ｄ（アウターのピン孔は図示せず）に通されてキャリパ２のディスク回入側と回出側にそれぞれ配置されている。
【００４２】
パッド３は、裏板の前面に摩擦材を貼り付けた周知のパッドである。このパッド３の裏板にはピン孔３ａが設けられており、そのピン孔３ａにパッドピン４，４が通されてパッド３がパッドピン４，４によってディスク軸方向スライド自在に支持されている。
【００４３】
この対のパッド３，３が、キャリパ２のインナー部２ａとアウター部２ｂにそれぞれに組みつけられたピストン（図示せず）によって押圧されてディスクの両面に押し当てられ、これにより制動力が発生する。
【００４４】
クリップ５は、パッドピン４のピン孔２ｄを貫通した先端の孔に通されてパッドピン４に係止させており、このクリップ５によってパッドピン４のキャリパ２からの抜けが防止され、かつ、ピン孔２ｄ内での回転が阻止されている。
【００４５】
パッドスプリング６は、板ばねを所定の形状に打ち抜き、得られたブランク材の必要個所を曲げ加工して作られている。
【００４６】
例示のパッドスプリング６には、曲げ加工して形成されたピン保持部７、８が両端に設けられ、さらに、各ピン保持部７、８に近接した位置にばね力発生部９，１０が設けられている。
【００４７】
また、各ばね力発生部９，１０よりも中央寄りの位置に、キャリパのインナー部２ａとアウター部２ｂに当接して自身をディスク軸方向に動き止めするストッパ１１が設けられ、さらに、中央部にパッドをディスク内径側に向けて押しつけるパッド押圧部１２が設けられている。
【００４８】
ピン保持部７は、図４に示した曲げ半径ｒ１がパッドピン４の半径ｒよりも大に設定されている。また、このピン保持部の折り返し部７ａは、直線をなし、なおかつ、基準線Ｌ（図３，図４参照）に対して、角度θの傾きを有するように成形されている。基準線Ｌは、ディスク回入側と回出側のパッドピン４，４の中心を結ぶ直線と平行な直線である。
【００４９】
そして、この直線の折り返し部７ａとパッドピン４の接触部ｂに働く摩擦力（これは、図４のＦrとμの積で求まる）と、接触部ｂに働くばね力の折り返し部７ａと平行かつ折り返し部の自由端側を向く分力Ｆｔについて、Ｆr・μ＞Ｆtの条件を満足させている。
【００５０】
Ｆｒは、接触部ｂに働くばね力の折り返し部７ａに対する直角向きの分力であり、また、μは、接触部ｂの摩擦係数である。
【００５１】
接触部ｂに働く分力ＦｒとＦｔは、記述の（式１）と（式２）によって求まる。これ等の式におけるＦｓ、γ、θ及びγを導き出すＦｖとＦｈについては、記述の定義の通りであるので再説明を省いて、図４にそれらの符号を記すにとどめる。
【００５２】
折り返し部７ａの傾きθは、記述の数値範囲、すなわち、４０°以上、９０°以下に設定されている。また、直線の折り返し部７ａは、図３に示したその長さｌ１がパッドピン４の直径の２５％〜１００％に設定されている。
【００５３】
ここで言う長さｌ１は、折り返し部７ａがパッドピン４に対して最も深く嵌まり込んだ状態において、直線の折り返し部７ａに対するパッドピン４の接触部ｂを通る基準線Ｌに対して直角な直線ＳＬ１と、直線の折り返し部７ａの先端を通る基準線Ｌに対して直角な直線ＳＬ２間の距離である。
【００５４】
パッド３をパッドスプリング６によってディスクの内径側に向けてのみ押圧した図１、図２の形態のディスクブレーキの場合、ピン保持部７は、ディスク回入側、ディスク回出側のどちらに配置しても同じ効果を期待できる。
【００５５】
例示のパッドスプリング６は、図３に示した他方のピン保持部８の折り返し部８ａの曲げ戻しの角度βが１７５°、直線ＳＬ３，ＳＬ４間の距離で表した長さｌ２がパッドピン４の直径の１００％〜２００％に設定されている。
【００５６】
ＳＬ３は、折り返し部がパッドに対して最も深く嵌まり込んだ状態において、折り返し部８ａに対するパッドピン４の接触部を通る基準線Ｌに対して直角な直線であり、また、ＳＬ４は折り返し部８ａの先端を通る基準線Ｌに対して直角な直線である。
【００５７】
以上の如く設計された図示のピストン対向型ディスクブレーキは、ピン保持部７が係合したパッドピン４を回転させることでキャリパ２に装着されているパッドスプリング６を外すことができる。
【００５８】
パッドピン４に係止させているクリップ５を外し、その後、パッドピン４を図５において時計回りに回転させると、パッドピン４は定位置でスリップを起こさずに回転し、その回転力により直線の折り返し部７ａに推力が加わり、その推力で折り返し部７ａが次第にせり上がっていってピン保持部７がパッドピン４から外れる。
【００５９】
このとき、パッドスプリング６は衝撃的に弾性復元して跳ね上がっても折り返し部の長さを長くしたピン保持部８はパッドピン４に対する係合状態が保たれ、そのためにパッドスプリング６のキャリパ２からの衝撃的な外れが防止されて作業の安全性が確保される。
【００６０】
図６は、パッド３をパッドスプリング６でディスク内径側とディスク回出側の２方向に向けて押圧するタイプのピストン対向型ディスクブレーキに対するこの発明の適用例である。
【００６１】
このケースでは、ディスク回出側のパッドピン４によるスプリング保持部についてＦr・μ＞Ｆtの関係式を満足させている。図中１２は、パッド３を径方向内側に向けて押圧する押圧部、１３は、パッド３をディスク回出側に向けて押圧する押圧部である。
【００６２】
図６の構造では、パッド３をディスク回出側に押圧した力の反力がディスク回出側のパッドピン４によるスプリング保持部に対して作用する。このため、図６のディスクブレーキは、ディスク回出側のパッドピン４によるスプリングの保持を解くだけでパッドスプリング６を取り外すことができ、上記の関係式をディスク回入側のパッドピン４によるスプリング保持部について満足させたものと比較してパッドスプリングの取り外し作業が簡単になる。
【００６３】
ただし、この構造でディスク回入側のパッドピン４によるスプリング保持部についてＦr・μ＞Ｆtの関係式を満足させることも否定されるものではない。ディスク回入側とディスク回出側の双方のパッドピンによるスプリング保持部について共にＦr・μ＞Ｆtの関係式を満足させることも許容される。
【実施例】
【００６４】
図４のばね力の垂直成分Ｆｖを１００Ｎ、水平成分Ｆｈを２００Ｎ、直線の折り返し部７ａの傾き角θを５０°、図３に示した直線の折り返し部７ａの長さｌ１をパッドピンの直径の６０％に設定した図１〜図３に示す形状のステンレス製のパッドスプリングを試作してステンレス鋼製の直径φ６ｍｍのパッドピンを備えたピストン対向型ディスクブレーキに装着し、ディスク回出側のＦr・μ＞Ｆtの関係式を満たしたディスク回出側のパッドピンを回転させる方法でパッドスプリングを外す試験を行なった。
【００６５】
その結果、ばね力が上述したような強い値に設定されたパッドスプリングは、ピン保持部をドライバなどの工具でこじるなどしても簡単には外れないが、試作品はパッドピンを回転させるだけで困難なくパッドスプリングを取り外すことができた。
【符号の説明】
【００６６】
１          ピストン対向型ディスクブレーキ
２          キャリパ
２ａ        インナー部
２ｂ        アウター部
２ｃ        窓孔
２ｄ        ピン孔
３          パッド
３ａ        ピン孔
４          パッドピン
５          クリップ
６          パッドスプリング
７，８      ピン保持部
７ａ        直線の折り返し部
８ａ        折り返し部
９，１０    ばね力発生部
１１        ストッパ
１２，１３  パッド押圧部
Ｄ          ディスク
Ｌ          ディスク回入側と回出側のパッドピンの中心を結ぶ直線と平行な基準線
θ          基準線Ｌに対する直線の折り返し部７ａの傾き角
Ｆｔ        パッドピンの接触部に働くばね力の直線の折り返し部と平行かつ直線の折り返し部の自由端側を向く分力
Ｆｒ        パッドピンの接触部に働くばね力の直線の折り返し部に対する直角向きの分力
Ｆｓ        分力ＦｔとＦｒの合力
γ          基準線Ｌに対する合力Ｆｓの傾き角
Ｆｖ        ばね力の垂直成分
Ｆｈ        ばね力の水平成分
ＳＬ１      直線折り返し部がパッドピンに対して最も深く嵌まり込んだ状態において、その直線の
折り返し部に対するパッドピンの接触部を通る前記基準線Ｌに対して直角な直線
ＳＬ２      直線の折り返し部の先端を通る基準線Ｌに対して直角な直線
ＳＬ３      Ｆr・μ＞Ｆtの関係式を満足しないピン保持部の折り返し部がパッドに対して最も深く嵌まり込んだ状態において、当該折り返し部に対するパッドピンの接触部を通る基準線Ｌに対して直角な直線
ＳＬ４      Ｆr・μ＞Ｆtの関係式を満足しないピン保持部の折り返し部の先端を通る基準線Ｌに対して直角な直線
ａ          合力Ｆｓの先端
ｂ          直線の折り返し部とパッドピンの接触部
ｃ          ａ点から基準線Ｌと直交する方向に延びださせた直線とｂ点から基準線Ｌと平行に延びださせた直線の交差部
ｒ          パッドピンの半径
ｒ１        折り返し部の曲げ半径
【図１】
2014224581.tif 000003
【図２】
2014224581.tif 000004
【図３】
2014224581.tif 000005
【図４】
2014224581.tif 000006
【図５】
2014224581.tif 000007
【図６】
2014224581.tif 000008